(57)【特許請求の範囲】
【請求項１】
照明器具本体と、造営物に前記照明器具本体を取り付ける取付部材と、前記照明器具本体の落下を防止する落下防止部材と、を備え、
前記落下防止部材は、前記照明器具本体に設けられた連結具と、前記造営物に一端が固定されたワイヤロープの他端が取り付けられるワイヤ取付具と、前記連結具と前記ワイヤ取付具とが接するように前記ワイヤ取付具を支持する取付補助具と、前記ワイヤ取付具と前記取付補助具との間に前記連結具を挟んで前記ワイヤ取付具と前記取付補助具とを結合する結合具と、を有しており、
前記取付補助具は、前記ワイヤ取付具および前記連結具と比較して機械的強度が低くなるように構成され、
前記ワイヤ取付具は、前記ワイヤロープに引かれる力が所定の上限値を超える場合に前記連結具との間に生ずる摩擦力に抗して変位するように構成され、
前記取付補助具は、前記ワイヤ取付具が前記ワイヤロープに引かれる力で塑性変形するように構成され、
前記連結具は、連結具側平板部を有し、
前記ワイヤ取付具は、ワイヤ取付具側平板部を有し、
前記結合具は、前記ワイヤ取付具側平板部と前記取付補助具との間に前記連結具側平板部を挟んで前記ワイヤ取付具と前記取付補助具とを結合し、
前記連結具側平板部の一方の主面である第１主面は、前記ワイヤ取付具側平板部の一方の主面である第２主面と対向し、
前記第１主面における前記第２主面と対向する対向領域の全体が、前記第２主面と接触していることを特徴とする照明器具。
【請求項２】
前記結合具は、ボルトと、該ボルトの軸部に螺子止め可能なナットであり、
前記結合具は、前記軸部が挿通する筒状のスペーサパイプを備え、
前記連結具は、前記スペーサパイプを挿通させる円形状の第１貫通孔を有し、
前記ワイヤ取付具は、前記スペーサパイプを挿通させる長円状の第２貫通孔を有し、
前記取付補助具は、前記軸部を挿通する円形状の第３貫通孔を有し、
前記ボルトと前記ナットとは、前記連結具を挟んで前記ワイヤ取付具と前記取付補助具とを結合させており、
前記ボルトの頭部と前記ナットとは、前記スペーサパイプにより、前記軸部の軸方向に沿った所定の間隔を隔てて、前記連結具と前記取付補助具とを配置させており、
前記取付補助具は、前記連結具と前記ワイヤ取付具とが接するように、側面視において、一端部を前記ワイヤ取付具に当接させ、前記一端部と反対の他端部を前記連結具に当接させていることを特徴とする請求項１に記載の照明器具。
【請求項３】
照明器具本体と、造営物に前記照明器具本体を取り付ける取付部材と、前記照明器具本体の落下を防止する落下防止部材と、を備え、
前記落下防止部材は、前記照明器具本体に設けられた連結具と、前記造営物に一端が固定されたワイヤロープの他端が取り付けられるワイヤ取付具と、前記連結具と前記ワイヤ取付具とが接するように前記ワイヤ取付具を支持する取付補助具と、前記ワイヤ取付具と前記取付補助具との間に前記連結具を挟んで前記ワイヤ取付具と前記取付補助具とを結合する結合具と、を有しており、
前記取付補助具は、前記ワイヤ取付具および前記連結具と比較して機械的強度が低くなるように構成され、
前記ワイヤ取付具は、前記ワイヤロープに引かれる力が所定の上限値を超える場合に前記連結具との間に生ずる摩擦力に抗して変位するように構成され、
前記取付補助具は、前記ワイヤ取付具が前記ワイヤロープに引かれる力で塑性変形するように構成され、
前記結合具は、ボルトと、該ボルトの軸部に螺子止め可能なナットであり、
前記結合具は、前記軸部が挿通する筒状のスペーサパイプを備え、
前記連結具は、前記スペーサパイプを挿通させる円形状の第１貫通孔を有し、
前記ワイヤ取付具は、前記スペーサパイプを挿通させる長円状の第２貫通孔を有し、
前記取付補助具は、前記軸部を挿通する円形状の第３貫通孔を有し、
前記ボルトと前記ナットとは、前記連結具を挟んで前記ワイヤ取付具と前記取付補助具とを結合させており、
前記ボルトの頭部と前記ナットとは、前記スペーサパイプにより、前記軸部の軸方向に沿った所定の間隔を隔てて、前記連結具と前記取付補助具とを配置させており、
前記取付補助具は、前記連結具と前記ワイヤ取付具とが接するように、側面視において、一端部を前記ワイヤ取付具に当接させ、前記一端部と反対の他端部を前記連結具に当接させていることを特徴とする照明器具。
【発明の詳細な説明】
【技術分野】
【０００１】
本発明は、照明器具に関し、特に、照明器具本体の落下を防止する落下防止部材を備えた照明器具に関する。
【背景技術】
【０００２】
従来、高所に設置した照明器具本体が何らかの原因で地面などに落下してしまうことを防止するため、安全対策の一つとして、照明器具本体の落下を防止する落下防止部材を備えた照明器具が利用されている。照明器具は、一端が造営物に固定されたワイヤロープを用いた落下防止部材により、照明器具本体が保持されるように構成される。
【０００３】
この種の照明器具としては、被保持部材たる照明装置本体が床面等に衝突しないように懸吊して落下が制限されるときに生ずる衝撃を、伸縮又は変形で吸収するコイルばねを有する落下防止部材を備えた構造が知られている（たとえば、特許文献１を参照）。
【０００４】
特許文献１では、被保持部材の落下が制限されるときに生じる衝撃を、コイルばねの伸縮又は変形に伴って消費されるエネルギとして落下防止部材が吸収できる、としている。
【先行技術文献】
【特許文献】
【０００５】
【特許文献１】特開２０１０−９９８４号公報
【発明の概要】
【発明が解決しようとする課題】
【０００６】
ところで、照明器具では、照明器具本体の落下防止時に生ずる衝撃力を、より低減可能な構造が求められており、上述の特許文献１の構成だけでは十分ではなく、更なる改良が求められている。
【０００７】
そこで、本発明の目的は、照明器具本体の落下防止時に生ずる衝撃力を、より低減可能な照明器具を提供することにある。
【課題を解決するための手段】
【０００８】
本発明の照明器具は、照明器具本体と、造営物に上記照明器具本体を取り付ける取付部材と、上記照明器具本体の落下を防止する落下防止部材と、を備えている。上記落下防止部材は、連結具と、ワイヤ取付具と、取付補助具と、結合具と、を有している。上記連結具は、上記照明器具本体に設けられている。上記ワイヤ取付具は、上記造営物に一端が固定されたワイヤロープの他端が取り付けられる。上記取付補助具は、上記連結具と上記ワイヤ取付具とが接するように、上記ワイヤ取付具を支持するように構成されている。上記結合具は、上記ワイヤ取付具と上記取付補助具との間に上記連結具を挟んで上記ワイヤ取付具と上記取付補助具とを結合するように構成されている。上記取付補助具は、上記ワイヤ取付具および上記連結具と比較して機械的強度が低くなるように構成されている。上記ワイヤ取付具は、上記ワイヤロープに引かれる力が所定の上限値を超える場合に上記連結具との間に生ずる摩擦力に抗して変位するように構成されている。上記取付補助具は、上記ワイヤ取付具が上記ワイヤロープに引かれる力で塑性変形するように構成され、上記連結具は、連結具側平板部を有する。上記ワイヤ取付具は、ワイヤ取付具側平板部を有する。上記結合具は、上記ワイヤ取付具側平板部と上記取付補助具との間に上記連結具側平板部を挟んで上記ワイヤ取付具と上記取付補助具とを結合している。上記連結具側平板部の一方の主面である第１主面は、上記ワイヤ取付具側平板部の一方の主面である第２主面と対向している。上記第１主面における上記第２主面と対向する対向領域の全体が、上記第２主面と接触している。
【発明の効果】
【０００９】
本発明の照明器具は、照明器具本体の落下防止時に生ずる衝撃力を、より低減することが可能となる。
【図面の簡単な説明】
【００１０】
【図１】図１は、実施形態の照明器具の施工状態を示す正面図である。
【図２】図２は、実施形態の照明器具を示す平面図である。
【図３】図３は、実施形態の照明器具を示す側面図である。
【図４】図４は、実施形態の照明器具の要部を示す分解斜視図である。
【図５】図５は、実施形態の照明器具の要部を説明する断面説明図である。
【図６】図６は、実施形態の照明器具の要部の動作を説明する断面説明図である。
【図７】図７は、実施形態の照明器具の要部の動作を説明する断面説明図である。
【図８】図８は、実施形態の照明器具の要部の動作を説明する断面説明図である。
【発明を実施するための形態】
【００１１】
以下では、本実施形態の照明器具１０について、図１ないし図８を参照しながら説明する。図中において、同じ部材に対しては、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１２】
本実施形態の照明器具１０は、図１ないし図４に示すように、照明器具本体１と、造営物１１に照明器具本体１を取り付ける取付部材２と、照明器具本体１の落下を防止する落下防止部材３と、を備えている。落下防止部材３は、連結具４と、ワイヤ取付具６と、取付補助具７と、結合具８と、を有している。連結具４は、照明器具本体１に設けられている。ワイヤ取付具６は、造営物１１に一端が固定されたワイヤロープ５の他端が取り付けられる。取付補助具７は、連結具４とワイヤ取付具６とが接するように、ワイヤ取付具６を支持する。結合具８は、ワイヤ取付具６と取付補助具７との間に連結具４を挟んでワイヤ取付具６と取付補助具７とを結合するように構成されている。取付補助具７は、ワイヤ取付具６および連結具４と比較して機械的強度が低くなるように構成されている。ワイヤ取付具６は、図５ないし図８に示すように、ワイヤロープ５に引かれる力が所定の上限値を超える場合に連結具４との間に生ずる摩擦力に抗して変位するように構成されている。図６ないし図８における白抜きの矢印は、ワイヤロープ５がワイヤ取付具６を引っ張る力の向きを例示している。取付補助具７は、図７および図８に示すように、ワイヤ取付具６がワイヤロープ５に引かれる力で塑性変形するように構成される。
【００１３】
本実施形態の照明器具１０は、ワイヤ取付具６が連結具４との間に生ずる摩擦力に抗して変位し、取付補助具７が塑性変形することで、照明器具本体１の落下防止時に生ずる衝撃力を、より低減することが可能となる。
【００１４】
以下では、本実施形態の照明器具１０の各構成について説明する。本実施形態の照明器具１０は、高速道路のトンネル内の表示灯を構成している。表示灯は、たとえば、所定のピクトグラムや文字が表記され、車両の運転者などに各種の情報を提供できるように構成されている。
【００１５】
照明器具本体１は、図１ないし図３に示すように、筐体１ａと、表示パネル１ｂと、を備えている。筐体１ａは、内部が空洞な箱状に形成されている。筐体１ａは、光源と、電源ユニットと、を内部に収納している。
【００１６】
筐体１ａは、本体部１ａ１と、扉部１ａ２と、蝶番１ａ３と、スナップ錠１ａ４と、を備えている。本体部１ａ１は、有底角筒状の外形形状をしている。扉部１ａ２は、本体部１ａ１の開口を塞ぐことができるように構成されている。扉部１ａ２は、正面視において、矩形状の開口部１ａａが設けられている。すなわち、扉部１ａ２は、矩形枠板状の外形形状をしている。筐体１ａは、扉部１ａ２の開口部１ａａを塞ぐように、表示パネル１ｂが設けられている。本体部１ａ１および扉部１ａ２は、ステンレスの折り曲げ加工により形成することができる。本体部１ａ１および扉部１ａ２の材料は、たとえば、ステンレスだけに限られず、鋼板、アルミニウムなどの金属材料を用いることもできる。本体部１ａ１と扉部１ａ２とは、同じ材料で形成されてもよいし、異なる材料で形成されてもよい。
【００１７】
蝶番１ａ３は、本体部１ａ１に対して、扉部１ａ２が開いた状態と、扉部１ａ２が閉じた状態とに、扉部１ａ２が回転できるように構成されている。蝶番１ａ３は、照明器具１０の正面視において、筐体１ａの一側面側に取り付けられている。蝶番１ａ３は、本体部１ａ１と扉部１ａ２とに跨って設けられている。スナップ錠１ａ４は、照明器具１０の正面視において、蝶番１ａ３が設けられた筐体１ａの一側面と反対側に取り付けられている。スナップ錠１ａ４は、本体部１ａ１に設けられている。スナップ錠１ａ４は、扉部１ａ２に設けられた突起１ａ７に、ラッチアーム１ａ５を引っ掛けてレバー１ａ６を倒すことにより、扉部１ａ２を本体部１ａ１に対して閉じた状態で固定できるように構成されている。
【００１８】
表示パネル１ｂは、矩形平板状の外形形状をしている。表示パネル１ｂは、透光性材料により形成されている。表示パネル１ｂの材料は、ガラス、アクリル樹脂などの透光性材料を用いることができる。表示パネル１ｂには、たとえば、所定のピクトグラムや文字が形成されている。
【００１９】
光源は、表示パネル１ｂを照射することができるように形成されている。光源は、ＬＥＤユニットを用いることができる。電源ユニットは、光源を点灯させることができるように構成されている。電源ユニットは、外部の交流電源からの交流電力を、光源の点灯に適合する直流電力に変換する。電源ユニットは、電力変換した電力を光源に供給する。電源ユニットは、たとえば、ＡＣ−ＤＣコンバータを用いて構成することができる。光源は、ＬＥＤユニットだけに限られず、放電灯などを利用することもできる。電源ユニットは、光源の種類に合わせて種々の構成とすることができる。電源ユニットは、蓄電池と電気的に接続されていてもよい。照明器具本体１は、取付部材２によって、たとえば、トンネルの壁や天井などの造営物１１に取り付けられる。
【００２０】
取付部材２は、照明器具本体１の本体部１ａ１に設けられている。取付部材２は、たとえば、本体部１ａ１に溶接などにより固着してもよいし、本体部１ａ１にボルトとナットなどで固定されていてもよい。取付部材２は、造営物１１に固定された保持金具１２に、固定具２ａで保持されるように構成されている。保持金具１２は、たとえば、造営物１１に埋め込まれたアンカーボルトなどに取り付けられている。固定具２ａは、たとえば、ボルトとナットを用いることができる。取付部材２は、照明器具１０の正面視において、Ｌ字状の外形形状をしている。取付部材２は、板状の金属板の折り曲げ加工により形成させることができる。取付部材２は、照明器具本体１の大きさや重量に応じて複数設けることができる。取付部材２は、図２に示すように、厚み方向に貫通する長穴部２ａａを備えている。取付部材２は、固定具２ａとしてのボルトを長穴部２ａａに挿入して保持金具１２とナットで固定できるように構成されている。取付部材２は、蝶番１ａ３が取り付けられた筐体１ａの一側面に設けられている。照明器具１０は、造営物１１に直接的に螺子などを螺子止めにより固定する構成としてもよい。照明器具１０は、造営物１１に直接的に螺子により螺子止めする場合、螺子止めする螺子が取付部材２として機能する。照明器具１０では、たとえば、光源や電源ユニットなどが内蔵され、重量が数〔ｋｇ〕ないし数十〔ｋｇ〕に及ぶ場合もある。取付部材２は、照明器具本体１を支えることができるように適宜の構成で形成すればよい。
【００２１】
以下では、本実施形態の照明器具１０における落下防止部材３の構成について詳述する。
【００２２】
落下防止部材３は、図４ないし図８に示すように、連結具４とワイヤ取付具６と取付補助具７と結合具８とに加え、スペーサパイプ９を備えている。以下では、ワイヤ取付具６に取り付けられるワイヤロープ５をワイヤ５と称し、スペーサパイプ９をスペーサ９とも称する。
【００２３】
連結具４は、第１平板４ａと、第２平板４ｂと、第３平板４ｃと、を備えている。第１平板４ａは、矩形平板状の外形形状をしている。第２平板４ｂは、長尺の平板状の外形形状をしている。第３平板４ｃは、矩形平板状の外形形状をしている。連結具４は、第２平板４ｂの長手方向の一端から第１平板４ａが突出するように設けられている。第１平板４ａは、第２平板４ｂと直交する方向に沿って設けられている。連結具４は、第２平板４ｂの長手方向の一端と反対の他端から第３平板４ｃが突出するように設けられている。第３平板４ｃは、第２平板４ｂと直交する方向に沿って設けられている。第１平板４ａと第３平板４ｃとは、第２平板４ｂから同じ方向に突出して設けられている。言い換えれば、連結具４は、第１平板４ａと第２平板４ｂと第３平板４ｃとで、正面視において、Ｕ字状の外形形状をしている。第１平板４ａは、第１平板４ａの中央部より先端側に、厚み方向に貫通する第１貫通孔４ａａを備えている。第１貫通孔４ａａは、円形状に形成されている。
【００２４】
第２平板４ｂは、厚み方向に貫通する第１挿通孔４ａｂを備えている。第２平板４ｂは、第１挿通孔４ａｂを挿通する取付ボルト４ｔと取付ナット４ｓとを用いて照明器具本体１に固定されている。第２平板４ｂは、長手方向に沿って複数の第１挿通孔４ａｂを設けることができる。第２平板４ｂは、照明器具本体１を保持できるように、適宜に第１挿通孔４ａｂを設ければよい。第３平板４ｃは、第２平板４ｂと同様の構成に形成されている。連結具４の材料としては、たとえば、ステンレス、金属めっき処理された鋼板などの金属材料を用いて形成することができる。連結具４は、たとえば、厚さ４．０〔ｍｍ〕のステンレス材で形成することができる。
【００２５】
ワイヤ５は、一端が造営物１１に固定され、他端がワイヤ取付具６および取付補助具７に取り付けられる。ワイヤ５は、ワイヤ取付具６に取り付けられていればよく、ワイヤ取付具６と取付補助具７の両方に取り付けられている必要はない。ワイヤ５は、照明器具本体１の落下防止用のワイヤとして機能する。ワイヤ５は、筒状の圧着スリープ５ａを備えている。圧着スリープ５ａは、ワイヤ５の先端部分をループ状に曲げて、圧着することができるように構成されている。ワイヤ５は、たとえば、ループ状の部分を用いて、ワイヤ取付具６および取付補助具７に取り付けられる。ワイヤ５は、ワイヤ取付具６および取付補助具７に取り付けられる構造であれば、ループ状の部分を用いて、ワイヤ取付具６および取付補助具７に直接取り付けられる構造だけに限られない。ワイヤ５の材質は、たとえば、ステンレスを用いることができる。ワイヤ５は、照明器具本体１の重量やワイヤ５の長さなどによるが、たとえば、直径２．０〔ｍｍ〕の線材を用いることができる。
【００２６】
ワイヤ取付具６は、第１平板部６ａと、第２平板部６ｂとを備えている。第１平板部６ａは、矩形平板状の外形形状をしている。第２平板部６ｂは、矩形平板状の外形形状をしている。第１平板部６ａと第２平板部６ｂとは、互いに直交する方向に沿って配置される。第１平板部６ａは、第２平板部６ｂの先端から第２平板部６ｂと直交する方向に突出している。言い換えれば、ワイヤ取付具６は、正面視において、第１平板部６ａと第２平板部６ｂとでＬ字状の外形形状をしている。第１平板部６ａは、第１平板部６ａの中央部に厚み方向に貫通する第１開口孔６ａａを備えている。第１平板部６ａは、ワイヤ５が第１開口孔６ａａに挿通されて保持できるように構成されている。第１開口孔６ａａは、円形状に形成されている。第１開口孔６ａａは、ワイヤ５の直径よりも大きな内径で形成されている。第２平板部６ｂは、第２平板部６ｂの中央部に、厚み方向に貫通する第２貫通孔６ａｂを備えている。第２貫通孔６ａｂは、第１平板部６ａと第２平板部６ｂとが連結されている第２平板部６ｂの先端から離れる方向が、長手方向となるように長円形に形成されている。ワイヤ取付具６は、結合具８を介して、連結具４に対して移動可能に連結されている。ワイヤ取付具６は、長円形状の第２貫通孔６ａｂの長手方向が鉛直方向に沿うように配置される。ワイヤ取付具６の材料は、たとえば、ステンレスもしくは金属めっき処理された鋼板を用いることができる。ワイヤ取付具６は、たとえば、厚さが４〔ｍｍ〕のステンレスで形成することができる。
【００２７】
取付補助具７は、第１板７ａと、第２板７ｂと、第３板７ｃと、を備えている。第１板７ａは、矩形平板状の外形形状をしている。第２板７ｂは、矩形平板状の外形形状をしている。第３板７ｃは、矩形平板状の外形形状をしている。第３板７ｃは、第１板７ａよりも小さく形成されている。取付補助具７は、第２板７ｂの一端から第１板７ａが突出するように設けられている。第１板７ａは、第２板７ｂと直交する方向に沿って設けられている。取付補助具７は、第２板７ｂの一端と反対の他端から第３板７ｃが突出するように設けられている。第３板７ｃは、第２板７ｂと直交する方向に沿って設けられている。第１板７ａと第３板７ｃとは、第２板７ｂから同じ方向に突出して設けられている。第１板７ａは、第１板７ａの中央部より先端側に、厚み方向に貫通する第２開口孔７ａａを備えている。第１板７ａは、ワイヤ５が第２開口孔７ａａに挿通できるように構成されている。第２開口孔７ａａは、円形状に形成されている。第２開口孔７ａａは、ワイヤ５の直径よりも大きな内径で形成されている。
【００２８】
照明器具１０は、ワイヤ取付具６の第１平板部６ａと取付補助具７の第１板７ａとを重ねて取り付けた状態において、ワイヤ取付具６の第１開口孔６ａａと、取付補助具７の第２開口孔７ａａと、が連なった開口を形成できるように構成されている。取付補助具７は、第２開口孔７ａａの内径を、第１開口孔６ａａの内径と略同じ大きさに形成されている。第２板７ｂは、厚み方向に貫通する第３貫通孔７ａｂを備えている。第３貫通孔７ａｂは、円形状に形成されている。照明器具１０は、ワイヤ取付具６の第１平板部６ａと取付補助具７の第１板７ａとを重ねて連結具４に当接させた状態において、ワイヤ取付具６の第２貫通孔６ａｂと、連結具４の第１貫通孔４ａａと、が連なった貫通口を形成できるように構成されている。照明器具１０は、ワイヤ取付具６の第１平板部６ａと取付補助具７の第１板７ａとを重ねて連結具４に当接させた状態において、第２貫通孔６ａｂと第１貫通孔４ａａの取付補助具７への投影面に第３貫通孔７ａｂが配置できるように構成されている。
【００２９】
取付補助具７の材料は、ワイヤ取付具６と同じ、ステンレスもしくは金属めっき処理された鋼板を用いることができる。取付補助具７は、ワイヤ取付具６と比較して、厚みを薄くしている。取付補助具７は、たとえば、厚さ０．８〔ｍｍ〕のステンレス材で形成することができる。取付補助具７は、ワイヤ取付具６および連結具４に比べて厚みを薄くすることで、機械的強度が低くなるように構成している。取付補助具７は、ワイヤ取付具６と同じ材料を用いる場合だけでなく、異なる材料を用いてもよい。照明器具１０は、ワイヤ取付具６と取付補助具７とを異なる材料で形成させる場合、たとえば、ワイヤ取付具６をステンレスで形成し、取付補助具７を鋼板で形成させることができる。ワイヤ取付具６と取付補助具７とは、同じ厚みで形成する場合、鋼板と比較してステンレスの方が硬く機械的強度を高くすることができる。取付補助具７は、ワイヤ５が引かれる力が所定の上限値を超える場合に、ワイヤ取付具６や連結具４と比較して塑性変形しやすい構成とすることができる。言い換えれば、取付補助具７は、衝撃吸収体を構成している。
【００３０】
結合具８は、ボルト８ａと、ナット８ｂと、を備えている。結合具８は、さらに、ワッシャ８ｃを備えていてもよい。ナット８ｂは、第１ナット８ｂ１および第２ナット８ｂ２の２つで構成している。ボルト８ａは、頭部８ａ１と、軸部８ａ２とを備えている。ボルト８ａは、軸部８ａ２がワイヤ取付具６の第２貫通孔６ａｂに挿通され、第２貫通孔６ａｂ周りの第２平板部６ｂに頭部８ａ１が保持されるように構成されている。ボルト８ａは、ワイヤ取付具６から突出し、スペーサ９に挿通されてワイヤ取付具６と反対の取付補助具７に、軸部８ａ２を貫通させている。照明器具１０は、ワイヤ取付具６の第２平板部６ｂから突出するボルト８ａの軸部８ａ２を、取付補助具７の第３貫通孔７ａｂ、ワッシャ８ｃに通し、第１ナット８ｂ１、第２ナット８ｂ２によりボルト８ａを固定している。
【００３１】
スペーサ９とワイヤ取付具６とは、スペーサ９が第２貫通孔６ａｂに挿通され、第２貫通孔６ａｂの長手方向にスペーサ９が移動できるように構成されている。スペーサ９と連結具４とは、スペーサ９が第１貫通孔４ａａに挿通され、第１貫通孔４ａａで移動できるように、スペーサ９の外径が第１貫通孔４ａａの内径よりも小さく構成されている。取付補助具７は、第３貫通孔７ａｂの内径を、ボルト８ａの軸部８ａ２よりも大きく構成している。スペーサ９は、スペーサ９の外径を、第３貫通孔７ａｂの内径よりも大きく構成している。スペーサ９と取付補助具７とは、ボルト８ａの軸部８ａ２が第３貫通孔７ａｂに挿通され、第３貫通孔７ａｂ周りの第２板７ｂにスペーサ９が当接できるように構成されている。
【００３２】
照明器具１０は、結合具８により、ワイヤ取付具６と連結具４と取付補助具７とが連結されている。ワッシャ８ｃと第２ナット８ｂ２とは、ボルト８ａの長手方向に沿って、第１ナット８ｂ１を挟んで位置されている。ワッシャ８ｃと第２ナット８ｂ２とは、ボルト８ａに対する第１ナット８ｂ１の位置がずれないように設けられている。第１ナット８ｂ１と第２ナット８ｂ２とは、互いに逆方向に締めて緩みを防止するダブルナットを構成している。結合具８は、ボルト８ａと、第１ナット８ｂ１とだけで構成してもよい。
【００３３】
照明器具１０は、スペーサ９および取付補助具７を介して、連結具４とワイヤ取付具６とをボルト８ａとナット８ｂとで締めて、ワイヤ５に引かれる力が所定の上限値を超えなければ、連結具４に対してワイヤ取付具６が動かないように構成することができる。ワイヤ取付具６と取付補助具７とは、スペーサ９を介して配置されている。スペーサ９は、ワイヤ取付具６と取付補助具７との間隔を一定に保つことができる。ワイヤ取付具６と連結具４とは、取付補助具７および結合具８により、互いに近づく向きに押圧される。スペーサ９の材料は、ステンレスを用いることができる。スペーサ９は、ステンレスなどの金属材料だけに限られず樹脂材料を用いて形成してもよい。スペーサ９は、円筒状の外形形状をしている。スペーサ９は、内部にボルト８ａの軸部８ａ２を挿通することができるように形成されている。
【００３４】
スペーサ９の長さは、ワイヤ取付具６における第２平板部６ｂの厚みと、取付補助具７における第２板７ｂの厚みと、第２板７ｂから突出した第３板７ｃの長さと、の合計よりも若干短く設定している。照明器具１０では、取付補助具７およびスペーサ９を介して、ボルト８ａとナット８ｂとが設けられることにより、ワイヤ取付具６と連結具４とが近づく向きに押圧する押圧力を付与できるように構成されている。照明器具１０では、連結具４と第３板７ｃが当接する取付補助具７が塑性変形しない程度の押圧力を、ワイヤ取付具６における第２平板部６ｂと連結具４における第１平板４ａとの間に付与して、ワイヤ取付具６と取付補助具７とが保持される。
【００３５】
落下防止部材３は、図５に示すように、ワイヤ取付具６の第２平板部６ｂと取付補助具７の第２板７ｂとが平行となるように、第１平板部６ａと第１板７ａとを重ねた状態で、第２平板部６ｂと第３板７ｃとで連結具４の第１平板４ａを挟み込むように配置している。ワイヤ取付具６と取付補助具７とは、第２平板部６ｂと第３板７ｃとで連結具４の第１平板４ａを挟み込んだ状態で、ボルト８ａの軸部８ａ２とスペーサ９とが、第２貫通孔６ａｂと第１貫通孔４ａａとに挿通できるように配置される。
【００３６】
ワイヤ取付具６は、第１平板部６ａと取付補助具７の第１板７ａとを重ねた状態で、連結具４における第１平板４ａの先端を第１板７ａに当接させた場合、スペーサ９の外周が第２貫通孔６ａｂにおける第１平板部６ａ側の内縁と当接するように配置される。連結具４は、ワイヤ取付具６の第１平板部６ａと取付補助具７の第１板７ａとを重ねた状態で、第１平板４ａの先端を第１板７ａに当接させた場合、スペーサ９の外周が第１貫通孔４ａａにおける第２平板４ｂ側の内縁と当接するように配置される。ボルト８ａは、第１ナット８ｂ１および第２ナット８ｂ２により、ワイヤ取付具６、連結具４、取付補助具７およびワッシャ８ｃを挟み込んで固定する。スペーサ９は、ボルト８ａが第１ナット８ｂ１および第２ナット８ｂ２で締め付けられた状態で、一端がボルト８ａの頭部８ａ１と当接し、他端が取付補助具７の第３貫通孔７ａｂ周りの第２板７ｂと当接するように取り付けられる。
【００３７】
本実施形態の照明器具１０では、結合具８は、ボルト８ａと、ナット８ｂで構成している。ナット８ｂは、ボルト８ａの軸部８ａ２に螺子止め可能な構成としている。結合具８は、軸部８ａ２が挿通する筒状のスペーサ９を備えている。連結具４は、スペーサ９を挿通させる円形状の第１貫通孔４ａａを有している。ワイヤ取付具６は、スペーサ９を挿通させる長円状の第２貫通孔６ａｂを有している。取付補助具７は、軸部８ａ２を挿通する円形状の第３貫通孔７ａｂを有している。ボルト８ａとナット８ｂとは、連結具４を挟んでワイヤ取付具６と取付補助具７とを結合させている。ボルト８ａの頭部８ａ１とナット８ｂとは、スペーサ９により、軸部８ａ２の軸方向に沿った所定の間隔を隔てて、連結具４と取付補助具７とを配置させている。取付補助具７は、連結具４とワイヤ取付具６とが接するように、側面視において、一端部をワイヤ取付具６に当接させ、一端部と反対の他端部を連結具４に当接させている。
【００３８】
照明器具１０は、２本のワイヤ５を照明器具本体１側に取り付けることができるよう、連結具４の両端にワイヤ取付具６と取付補助具７との組を２つ備えている。ワイヤ取付具６と取付補助具７とは、２組に限られず、１組以上あればよい。ワイヤ取付具６と取付補助具７とは、２組以上設けることで１組の場合と比較して、より落下防止の信頼性を高めることが可能となる。
【００３９】
ところで、照明器具は、種々の場所で利用されており、たとえば、高速道路のトンネル内を照らす照明灯や表示灯として設置される場合、通行車両の排気ガスや冬季における路面の凍結を防止する凍結防止剤で、取付部材や保持金具などが腐食する場合がある。照明器具は、取付部材や保持金具の腐食などに伴う照明器具本体の落下防止対策として、落下防止部材を備えている。落下防止部材は、たとえば、造営物に一端が固定されたワイヤロープの他端を保持するアイボルトを照明器具本体に設けた構成とすることが考えられる。アイボルトは、頭頂部が輪状のボルトであり、ワイヤロープを頭頂部の輪に通して照明器具本体を吊り上げて保持する。
【００４０】
照明器具は、照明器具本体が何らかの原因で落下する場合、ワイヤロープがアイボルトを保持することで、照明器具本体の落下を防止することができる。照明器具では、たとえば、光源や電源ユニットなどが内蔵され筐体が金属材料で形成される場合、重量が４０〔ｋｇ〕以上となる場合もある。照明器具は、照明器具本体の重量やワイヤロープの長さなどにもよるが、たとえば、直径３．０〔ｍｍ〕のワイヤロープを使用して照明器具本体の落下を抑制できるものの、照明器具本体の落下防止時にワイヤロープから落下防止部材が受ける衝撃力が大きくなる。照明器具は、ワイヤロープから受ける衝撃力に対応して落下防止部材の機械的強度を高めると、照明器具本体に衝撃力が伝わり、照明器具本体に損傷を生じる虞がある。照明器具は、照明器具本体に加わる衝撃力を低減できれば、ワイヤロープの直径を小さくすることができる。照明器具は、照明器具本体に加わる衝撃力を低減できれば、落下防止部材全体を小さくでき、見栄えもよく低コスト化にもつながる。
【００４１】
本実施形態の照明器具１０は、ワイヤ取付具６が連結具４との間に生ずる摩擦力に抗してワイヤ取付具６が変位し、取付補助具７が塑性変形することで、照明器具本体１の落下防止時に生ずる衝撃力を、より低減することができる。本実施形態の照明器具１０は、照明器具本体１の落下防止時に生ずる衝撃力を、より低減することができるので、ワイヤロープの直径をより小さく、落下防止部材３全体もより小さくできるため、照明器具１０の見栄えもよく低コスト化も可能となる。
【００４２】
以下では、本実施形態の照明器具１０が照明器具本体１の落下防止時に生ずる衝撃力を低減させる機構について、図５ないし図８を用いて詳細に説明する。
【００４３】
照明器具１０は、図５で示す連結具４にワイヤ取付具６および取付補助具７が取り付けられた状態で、何らかの原因により照明器具本体１が保持金具１２および取付部材２で保持されなくなった場合、ワイヤ５で照明器具本体１が保持される。照明器具１０は、照明器具本体１が自重で落下する向きに動いた際に、造営物１１に一端が固定されたワイヤ５でワイヤ取付具６および取付補助具７が引っ張られる。
【００４４】
照明器具１０では、ワイヤ５でワイヤ取付具６がより引かれることで、図６に示すように、ワイヤ取付具６と連結具４との間に生ずる摩擦力に抗して、ワイヤ取付具６と取付補助具７とが照明器具本体１から遠ざかるように変位する。ワイヤ取付具６と連結具４とは、ボルト８ａを介して、鉛直方向の上下方向に沿って相対的に変位する。ワイヤ取付具６と取付補助具７とは、スペーサ９の外周が連結具４の第１貫通孔４ａａにおける第１平板４ａの先端側の内縁に当接するまで照明器具本体１から遠ざかるように、連結具４に対して相対的に変位する。照明器具１０では、ワイヤ取付具６と連結具４との間に生ずる摩擦力に抗して、ワイヤ取付具６と連結具４とが図６に示すように相対的に変位することで、照明器具本体１の落下防止時に生ずる衝撃力を、低減させることができる。
【００４５】
照明器具１０では、ワイヤ５でワイヤ取付具６がより引かれることで、図７に示すように、スペーサ９の外周が連結具４の第１貫通孔４ａａの内縁に当接した状態で第１貫通孔４ａａの内縁を起点として、スペーサ９が回転する。照明器具１０では、連結具４の第１貫通孔４ａａの内縁を起点として、スペーサ９が回転することで、連結具４やワイヤ取付具６に対して、相対的に機械的強度の低い取付補助具７が塑性変形する。図７に示す照明器具１０では、取付補助具７が塑性変形することで、より衝撃力を低減させることができる。照明器具１０は、照明器具本体１を元の位置に設置させる場合、塑性変形した取付補助具７を交換することで、ワイヤ取付具６を再利用することもできる。
【００４６】
照明器具１０は、ワイヤ５でワイヤ取付具６がより引かれることで、図８に示すように、ワイヤ取付具６の第２貫通孔６ａｂにおける第２平板４ｂ側の内縁にスペーサ９の外周が当接するまで、ワイヤ取付具６が連結具４に対して変位する。照明器具１０では、照明器具本体１から遠ざかるように、ワイヤ取付具６が連結具４に対して動いて相対的に変位する。言い換えれば、連結具４とワイヤ取付具６とは、ワイヤ５によりワイヤ取付具６が引かれることで、第２貫通孔６ａｂの長手方向に沿って、ワイヤ取付具６が連結具４に対して相対的に変位する。照明器具１０では、ワイヤ取付具６が連結具４に対して相対的に変位することで、ワイヤ取付具６と連結具４との間に摩擦力が生ずる。照明器具１０では、ワイヤ取付具６が連結具４に対して相対的に変位して、取付補助具７がさらに塑性変形する。
【００４７】
本実施形態の照明器具１０は、ワイヤ取付具６と連結具４との摩擦力と、取付補助具７の塑性変形との２つにより、照明器具本体１の落下防止時に生ずる衝撃力を低減させることができる。照明器具１０は、落下防止部材３により、ワイヤ取付具６と連結具４との間に生ずる摩擦力と、取付補助具７の塑性変形とで、照明器具本体１の落下防止時に生ずる衝撃力を低減できればよい。
【００４８】
したがって、照明器具１０は、必ずしも、図５ないし図８で説明した機構で、照明器具本体１の落下防止時に生ずる衝撃力を低減させる構成だけには限られない。
【００４９】
照明器具１０は、たとえば、第３貫通孔７ａｂを第２貫通孔６ａｂと同様の長円形状とした以外は同様の構成で形成することもできる。照明器具１０は、第３貫通孔７ａｂを長円形状とすることで、ワイヤ取付具６と連結具４との間に生ずる摩擦力に抗して、ワイヤ取付具６と取付補助具７とが連結具４に対して相対的に変位した後に、取付補助具７が塑性変形する構造とすることもできる。
【００５０】
照明器具１０は、ワイヤ取付具６と連結具４との間に生ずる押圧力を調整するため、スペーサ９の代わりに、ばね材を挿入させてもよい。ばね材は、たとえば、ボルト８ａの軸部８ａ２が内部に挿通可能なつる巻ばねを用いることができる。ばね材は、ワイヤ取付具６と連結具４とを近づける向きにワイヤ取付具６と取付補助具７との間に弾性力を付与させることができる。照明器具１０は、ボルト８ａの長手方向に沿って第１ナット８ｂ１を移動させることにより、ワイヤ取付具６と取付補助具７との距離を調整することで、ワイヤ取付具６と連結具４との間に掛かる押圧力を調節することができる。照明器具１０は、ワイヤ取付具６と連結具４との間に掛かる押圧力を調節することで、ワイヤ５に引かれる力が所定の上限値を超える場合にワイヤ取付具６と連結具４との間に生ずる摩擦力の大きさを調整させることが可能となる。ワイヤ取付具６と連結具４との間に生ずる摩擦力は、ワイヤ取付具６と連結具４とが相対的に変位し始めるまで生じる静止摩擦力と、ワイヤ取付具６と連結具４とが相対的に変位している際に生じる動摩擦力とが挙げられる。
【００５１】
照明器具１０は、ワイヤ５に引かれる力が所定の上限値を超える場合にワイヤ取付具６と連結具４との間に生ずる摩擦力を大きくさせるために、連結具４における第１平板４ａの表面と、ワイヤ取付具６における第２平板部６ｂの表面とに凹凸を設けてもよい。照明器具１０は、連結具４における第１平板４ａの表面と、ワイヤ取付具６における第２平板部６ｂの表面に設けた凹凸が噛みあうことで、ワイヤ取付具６と連結具４との間に生ずる摩擦力を大きくさせることができる。
【００５２】
本実施形態の照明器具１０では、ワイヤ５に引かれる力が所定の上限値を超える場合にワイヤ取付具６と連結具４との間に生ずる摩擦力が、ワイヤ取付具６と連結具４との間で直接的に生ずる構成だけに限られない。照明器具１０では、ワイヤ５に引かれる力が所定の上限値を超える場合にワイヤ取付具６と連結具４との間に生ずる摩擦力が、ゴム材などの弾性材を介して、ワイヤ取付具６と連結具４との間で間接的に生じさせる構成としてもよい。言い換えれば、ワイヤ取付具６は、連結具４の第１平板４ａと、第２平板部６ｂとを直接接触させる構成だけには限られない。ワイヤ取付具６は、たとえば、ゴム材などを介して、連結具４の第１平板４ａと、第２平板部６ｂとが接触するように構成されていてもよい。
【００５３】
本実施形態の照明器具１０では、鉛直方向と直交する方向に沿って、１ないし複数の溝を取付補助具７に設けた構成としてもよい。取付補助具７は、鉛直方向と直交する方向に沿った溝を設けることで、ワイヤ取付具６および連結具４と比較して機械的強度が低くなるように構成することができる。取付補助具７は、溝の形状や配置を適宜に調整することで、ワイヤ５に引かれる力がワイヤ取付具６に加わった場合に、取付補助具７に掛かる力を分散させて所定の塑性変形が生じるように構成させることもできる。
【００５４】
本実施形態の照明器具１０では、高速道路のトンネル内の表示灯を例として示したが、表示灯だけに限られるものではなく、一般照明や投光器などにも用いることができる。
【符号の説明】
【００５５】
１  照明器具本体
２  取付部材
３  落下防止部材
４  連結具
４ａ  第１平板（連結具側平板部）
４ａａ  第１貫通孔
５  ワイヤロープ
６  ワイヤ取付具
６ａｂ  第２貫通孔
６ｂ  第２平板部（ワイヤ取付具側平板部）
７  取付補助具
７ａｂ  第３貫通孔
８  結合具
８ａ  ボルト
８ａ１  頭部
８ａ２  軸部
８ｂ  ナット
９  スペーサパイプ
１０  照明器具
１１  造営物
【図１】
0006643670.tif 000002
【図２】
0006643670.tif 000003
【図３】
0006643670.tif 000004
【図４】
0006643670.tif 000005
【図５】
0006643670.tif 000006
【図６】
0006643670.tif 000007
【図７】
0006643670.tif 000008
【図８】
0006643670.tif 000009